(57)【要約】【課題】建築用電動シャッター装置において、シャッターカーテンの開閉回数を表示するカウンターや、制御装置への電源供給を断続する電源スイッチを設けるにあたり、電気配線を簡略化する。【解決手段】カウンター３３と電源スイッチ３４を、制御装置２０が内装される制御ケース１７の底面板１７ｈに、制御ケース１７の外部から視認したり操作したりすることができる状態で組込むと共に、シャッターケース２の底面板１２に、カウンター３３、電源スイッチ３４をシャッターケース２の外部から視認したり操作したりするための切欠き孔部１２ａ、１２ｂを設けた。【選択図】図７
2014234593.tif 000002
【特許請求の範囲】
【請求項１】
開口部の上方に設けられるシャッターケースに、シャッターカーテンを開閉させるべく駆動する開閉機と、該開閉機の駆動制御をするための制御装置とを内装してなる建築用電動シャッター装置において、シャッターカーテンの開閉回数を表示するカウンターを、前記制御装置が内装される制御ケースの底面板または正面板に制御ケースの外部から視認できる状態で組込むと共に、シャッターケースの底面板または正面板に、前記カウンターをシャッターケースの外部から視認するための切欠き孔部を設けたことを特徴とする建築用電動シャッター装置。
【請求項２】
カウンターを、制御ケースの底面板または正面板から突出する状態で設けると共に、該カウンターは、シャッターケースの底面板または正面板の切欠き孔部に位置決め状に嵌合することを特徴とする請求項１に記載の建築用電動シャッター装置。
【請求項３】
制御装置への電源供給を断続する電源スイッチを、制御ケースの底面板または正面板に制御ケースの外部から操作できる状態で組込むと共に、シャッターケースの底面板または正面板に、前記電源スイッチをシャッターケースの外部から操作するための切欠き孔部を設けたことを特徴とする請求項１または２に記載の建築用電動シャッター装置。
【請求項４】
電源スイッチを、制御ケースの底面板または正面板から突出する状態で設けると共に、該電源スイッチは、シャッターケースの底面板または正面板の切欠き孔部に位置決め状に嵌合することを特徴とする請求項３に記載の建築用電動シャッター装置。
【請求項５】
カウンターと電源スイッチとを、制御ケースの底面板または正面板に隣接させて設けたことを特徴とする請求項３または４に記載の建築用電動シャッター装置。
【発明の詳細な説明】
【技術分野】
【０００１】
本発明は、建築物の開口部に設けられる建築用電動シャッター装置の技術分野に関するものである。
【背景技術】
【０００２】
一般に、建築用電動シャッター装置のなかには、開口部の上方に設けられるシャッターケースに、シャッターカーテンを開閉させるべく駆動する開閉機と、該開閉機の駆動制御をするための制御装置とを内装し、該制御装置の制御に基づく開閉機の正逆駆動によりシャッターカーテンの開閉作動を行なうように構成したものがある。さらにこのような建築用電動シャッター装置において、メンテナンスを行なう時期や内容を判断するための情報としてシャッターカーテンの開閉回数を用いることができるように、シャッターカーテンの開閉回数をカウントして表示するカウンターを設けたものがある。このものにおいて、前記カウンターは、例えば開閉機の駆動制御を行なう制御装置や、開閉機から巻取りドラムに動力を伝達する動力伝達機構に接続されるが、この場合に、制御装置や動力伝達機構とカウンターとの電気配線を考慮して、従来、制御装置や動力伝達機構が内装されるシャッターケース内にカウンターを配設していた（例えば、特許文献２に記載の従来の技術）。しかしながら、このようにカウンターがシャッターケース内に配設されていると、ユーザーは、開閉回数を確認する場合にいちいちシャッターケースを開かなければならず、この作業は面倒であって怠りがちとなり、メンテナンスの時期や内容を判断するために必要な情報であるシャッターカーテンの開閉回数を有効に活用できないという問題があった。
そこで、シャッターケースを開かなくてもシャッターカーテンの開閉回数に基づく情報を知ることができるように、開閉回数をカウントするカウント手段を制御装置に組込む一方、カウントした情報を表示する表示ランプを、開閉操作用の押釦スイッチが設けられる操作盤に設けたものが知られている（例えば、特許文献１参照。）。
また、シャッターカーテンの開閉動作を検知して赤外線を照射する動作通知部をシャッターカーテンに配置する一方、動的に変更可能な状態でガイドレール等にカウンター装置を配置し、該カウンター装置により前記動作通知部からの赤外線を受信すると共に該受信に基づいてシャッターカーテンの開閉回数をカウントして表示するようにした技術も提唱されている（例えば、特許文献２参照。）。
【先行技術文献】
【特許文献】
【０００３】
【特許文献１】実開平４−１１０８９８号公報
【特許文献２】特開２００３−１４８０６８号公報
【発明の概要】
【発明が解決しようとする課題】
【０００４】
ところで、前述したような建築用電動シャッター装置において、制御装置には、電源に接続される電線、電源スイッチに接続される電線、開閉機を構成するモータやブレーキに接続される電線、障害物検知センサやモータ回転数検知センサ等の各種センサに接続される電線、シャッターカーテン開閉用の操作スイッチや起動センサに接続される電線等の種々の電線が接続される。これら電線の配線工事は煩雑であって時間を要し、このため、配線ルートを短くしたり、シャッター装置の取付け現場で行なわなければならない電気配線をできるだけ少なくする等して電気配線の簡略化を図ることが要求されている。
しかしながら、前記特許文献１のものは、カウント手段が制御装置に組込まれる一方、表示ランプはガイドレールや開口部側方の躯体側に配置される操作盤に設けられているから、シャッター装置の取付け現場で行なわなければならない制御装置と操作盤との配線として、開閉操作用の押釦スイッチ用の配線に加えて表示ランプとの配線が別途必要で、配線工事に手間がかかり、前述した配線工事の簡略化の要求に反するという問題がある。
一方、特許文献２のものは、シャッターカーテンに赤外線を照射する動作通知部を設ける必要があると共に、カウンター装置には赤外線を受信する受信機能が必要であるため、コストが高くなってしまい、コスト低減の妨げになるという問題があり、これらに本発明が解決すべき課題がある。
【課題を解決するための手段】
【０００５】
本発明は、上記の如き実情に鑑みこれらの課題を解決することを目的として創作されたものであって、請求項１の発明は、開口部の上方に設けられるシャッターケースに、シャッターカーテンを開閉させるべく駆動する開閉機と、該開閉機の駆動制御をするための制御装置とを内装してなる建築用電動シャッター装置において、シャッターカーテンの開閉回数を表示するカウンターを、前記制御装置が内装される制御ケースの底面板または正面板に制御ケースの外部から視認できる状態で組込むと共に、シャッターケースの底面板または正面板に、前記カウンターをシャッターケースの外部から視認するための切欠き孔部を設けたことを特徴とする建築用電動シャッター装置である。
請求項２の発明は、カウンターを、制御ケースの底面板または正面板から突出する状態で設けると共に、該カウンターは、シャッターケースの底面板または正面板の切欠き孔部に位置決め状に嵌合することを特徴とする請求項１に記載の建築用電動シャッター装置である。
請求項３の発明は、制御装置への電源供給を断続する電源スイッチを、制御ケースの底面板または正面板に制御ケースの外部から操作できる状態で組込むと共に、シャッターケースの底面板または正面板に、前記電源スイッチをシャッターケースの外部から操作するための切欠き孔部を設けたことを特徴とする請求項１または２に記載の建築用電動シャッター装置である。
請求項４の発明は、電源スイッチを、制御ケースの底面板または正面板から突出する状態で設けると共に、該電源スイッチは、シャッターケースの底面板または正面板の切欠き孔部に位置決め状に嵌合することを特徴とする請求項３に記載の建築用電動シャッター装置である。
請求項５の発明は、カウンターと電源スイッチとを、制御ケースの底面板または正面板に隣接させて設けたことを特徴とする請求項３または４に記載の建築用電動シャッター装置である。
【発明の効果】
【０００６】
請求項１の発明とすることにより、シャッターカーテンの開閉回数の確認を容易に行なえると共に、カウンターと制御装置との配線ルートを可及的に短くでき、しかも建築用電動シャッター装置の取付け現場でカウンターと制御装置との電気配線を行なう必要がなくなって、電気配線の簡略化に大きく貢献できる。
請求項２の発明とすることにより、カウンターを欠き孔部に嵌合させることで、制御ケースのシャッターケースに対する取付け位置が決まり、制御ケースを正規の取付け位置に容易に設置できると共に、シャッターケースの外部にカウンターが露出することになって、カウンターの視認がより容易になる。
請求項３の発明とすることにより、電源スイッチと制御装置との配線ルートを可及的に短くでき、しかも建築用電動シャッター装置の取付け現場で電源スイッチと制御装置との電気配線を行なう必要がなくなって、電気配線の更なる簡略化に貢献できる。
請求項４の発明とすることにより、電源スイッチを欠き孔部に嵌合させることで、制御ケースをより正確に正規の取付け位置に設置できると共に、シャッターケースの外部に電源スイッチが露出することになって、電源スイッチの操作が容易になる。
請求項５の発明とすることにより、メンテナンス性の向上に寄与できる。
【図面の簡単な説明】
【０００７】
【図１】シートシャッター装置の正面図である。
【図２】シートシャッター装置の要部拡大正面図である。
【図３】シートシャッター装置の要部拡大側面図である。
【図４】シートシャッター装置の一部省略拡大縦断面図である。
【図５】（Ａ）、（Ｂ）はボトム部の一部正面図、縦断面図である。
【図６】ガイドレール部の水平断面図である。
【図７】（Ａ）、（Ｂ）、（Ｃ）は制御ケースをシャッターケース底面板に取付けた状態を示す正面図、底面図、拡大側面図である。
【図８】（Ａ）、（Ｂ）は制御ケースの正面図、底面図である。
【図９】（Ａ）、（Ｂ）は制御ケースの左側面図、右側面図である。
【図１０】部品が組込まれていない状態の制御ケースの縦断面図である。
【図１１】蓋体を取外した状態の制御ケースの正面図である。
【図１２】蓋体を取外した状態の制御ケースの平面図である。
【図１３】制御盤のブロック回路図である。
【発明を実施するための形態】
【０００８】
以下、本発明の実施の形態について、図面に基づいて説明する。
図面において、１は建築物躯体Ｂに形成される開口部を開閉して建築物の内外を仕切る高速シートシャッター装置（本発明の建築用電動シャッター装置の一例である）のシャッターカーテンであって、該シャッターカーテン１は、可撓性を有したシート材からなり、開口部の上方に配設されたシャッターケース２に回転自在に内装された巻取りドラム３に巻装されている。そして、巻取りドラム３は、後述するように、シャッターケース２に内装される開閉機４に連動連結されており、巻取りドラム３に巻装されるシャッターカーテン１は、開閉機４の開閉駆動に基づいて巻取りドラム３から巻出されて開口部を閉鎖する全閉姿勢と、巻取りドラム３に巻取られて開口部を開放する全開姿勢とのあいだを姿勢変姿して開口部を開閉するが、このときシャッターカーテン１の左右両側縁部は、開口部の左右方向両側となる躯体Ｂにそれぞれ固定される左右一対のガイドレール５にそれぞれ移動案内されるように設定されており、これらの基本構成は何れも従来通りとなっている。
【０００９】
前記シャッターカーテン１は、該シャッターカーテン１を形成するシート材１ａの左右方向外端縁部に、複数の係止片１ｂが上下方向に所定間隙を存する状態で設けられている。これら係止片１ｂは、後述するように、ガイドレール５に抜止め状に嵌合して、上下方向の移動案内を受けるように構成されている。また、シャッターカーテン１の下端縁部の左右端部を除く部位には、シート材１ａを折返すことで袋状のボトム部１ｃが形成されており、該ボトム部１ｃには、左右方向に長く上下方向（高さ方向）の撓みが殆どなく、障害物を挟み込んだとき挟み込み位置に拘わらず荷重を均一に受けられる剛性を有したボトムウエイト１ｄが内装されている。これによって、シャッターカーテン１の閉鎖作動の過程において、ボトムウエイト１ｄが錘として作用して後述する閉鎖作動を円滑にするようになっている。ここで、本実施の形態のボトムウエイト１ｄは、左右方向に長く開口部の左右幅略一杯に亘るように設定されたものであって、上下方向に幅を有する板状のボトムシート材１ｇの複数枚（例えば４枚）を垂直姿勢として前後方向に重ね合わせた積層材をボトム部１ｃに内装し、ボルト１ｅを介して一体化したものを採用しているため、上下方向の撓みが殆どない。そして該ボトム部１ｃは、袋状をしたカバー部１ｆにより覆蓋されている。ボトムシート材１ｇは、アスファルト、ゴム、樹脂材等の非金属製素材のなかから１種類又は任意の組み合わせたものであり、これらのなかに、比重を高くするため金属材料（金属粉、金属ワイヤ、金属球、金属片、金属シート等）を混入し又は固定することができる。さらに具体的には、本実施の形態では、アスファルトに酸化鉄（Ｆｅ２Ｏ３）粉、炭酸カルシウム（ＣａＣＯ３）を混入したものを板状体にし、その表面にポリエステル製の不織布を貼着したものを採用している。
因みにシャッターカーテン１は、下端部にボトムウエイト１ｄが設けられるだけであって、上下方向中間部には骨材がない構成になっているため、自重降下するための錘としてはボトムウエイト１ｄだけが寄与する（シャッターカーテン１を構成するシート材は自重降下の錘としては殆ど寄与しない）ように設定されている。
【００１０】
また、開口部両側部に設けられる左右一対の長尺状のガイドレール５は、それぞれ開口部の左右両側に位置していて躯体Ｂに固定されるＬ字状のレールブラケット６ａと、該レールブラケット６ａに対向して角筒形の空間を形成する逆Ｌ字状のレールカバー６ｂとで形成される上下長尺状の第一レール６と、該第一レール６の左右方向内方に設けられる円弧状に湾曲した上下長尺状の塞ぎシート７と、該塞ぎシート７の左右内方に位置してシャッターカーテン１の両側部に設けられた係止片１ｂを上下方向移動自在で、かつ、左右方向への抜止めがなされた状態で内嵌する第二レール８とを備えて構成されている。
【００１１】
前記第二レール８は、弾性変形可能な樹脂材で構成され、床面からシャッターケース２の下端部に至る長さを有した長尺体に形成されており、左右方向内方にシャッターカーテン１の係止片１ｂを嵌合ガイドするガイド片８ａが上下方向全長にわたって形成される一方、左右方向外方にボルト９の頭部９ａを左右方向抜止め状に嵌合支持するボルト支持片８ｂが上下方向全長にわたって形成されている。このように構成された第二レール８は、ボルト支持片８ｂに複数のボルト９の頭部９ａを嵌合し、これらボルト９の左右方向外方に向けて突出する各螺子部９ｂを、第一レール６のレールブラケット内方側面６ｃにそれぞれ左右方向移動自在に遊嵌状に貫通させ、該第一レール６の角筒内に突出する螺子部９ｂの貫通端部にナット９ｃを螺合することにより第一レール６から抜け止めされる状態で組込まれている。さらに、第一レール６の角筒内に位置するボルト９の螺子部９ｂであって、レールブラケット内方側面６ｃとナット９ｃとのあいだに位置する螺子部９ｂの外周にはコイル弾機９ｄが介装されており、該コイル弾機９ｄの付勢力によりボルト頭部９ａが左右方向外方に向けて付勢されるように構成されている。
【００１２】
これによって、第二レール８は、ボルト支持片８ｂがレールブラケット内方側面６ｃに弾圧する状態で支持されており、シャッターカーテン１に風圧などによる負荷が作用した場合に、前記負荷が所定の大きさの範囲内であれば、第二レール８がボルト９とともに前後方向に揺動すること、さらには、コイル弾機９ｄの付勢力に抗して第二レール８がボルト９とともに左右方向内方に変位することに基づいて、係止片１ｂが第二レール８のガイド片８ａから抜出すことなくシャッターカーテン１の変形が許容され、また、シャッターカーテン１に作用する負荷が所定の大きさよりも大きい場合では、ガイド片８ａの弾性変形に基づいて係止片１ｂが第二レール８から抜出して、シャッターカーテン１、第二レール８の保護が図れるように構成されている。
【００１３】
さて、本実施の形態のシャッターケース２は、左右のケースブラケット（側板）１０、正面板１１、底面板１２、天井板１３、該天井板１３の後端から下方に向けて折曲形成される背面板１３ａ、左右カバー板１４を用いて構成されているが、ケースブラケット１０は、左右方向外方が開口した箱形状に形成され、上片１０ａに天井板１３がビス１５で固定され、下片１０ｂに底面板１２がビス１５で固定されている。さらにシャッターケース２は、左右支持ブラケット１６を介してケースブラケット１０にボルト１６ａで固定される。
また正面板１１には、天井板１３の上面、底面板１２の下面にそれぞれ積層する上下片１１ａ、１１ｂが後方に向けて形成されており、これにより正面板１１は天井板１３、底面板１２に前後方向抜き差し自在に嵌合することで仮保持されるようになっている。左右カバー板１４は、左右方向内方が開口し、背面板のない箱形状に形成されており、そして、前記天井板１３、底面板１２が左右のケースブラケット１０にビス１５により固定され、かつ正面板１１が仮保持され、この状態で左右カバー板１４を前方側から正面板１１の左右両端部に外嵌させて後方に移動させることで、左右カバー板１４は正面板１１、底面板１２、天井板１３の左右両端部に外嵌する状態で組み込まれ、ビス１５によりガイドレール５と、ケースブラケット１０の前片１０ｃおよび正面板１１の積層部とにそれぞれ固定されるようになっている。この結果、シャッターケース２内をメンテナンスする場合、左右カバー板１４を取り外した後、正面板１１を取り外すことでシャッターケース２を開口できるようになっている。
【００１４】
左右ケースブラケット１０には、巻取りドラム３と一体化された巻取りシャフト３ａが回転自在に貫通取付け支持されている。そしてシャッターケース２内には、巻取りドラム３の前方に位置する状態で開閉機４、制御ケース１７が配設されているが、開閉機４は左右方向一端側に偏倚する状態で配される共に、該開閉機４の出力軸に取付けられたスプロケット４ａと巻取りシャフト３ａに取付けられたスプロケット３ｂとはチエン伝動機構１８を介して連動連結されており、そして開閉機４が正逆駆動することに伴う巻取りドラム３の回転でシャッターカーテン１の開閉作動が行なわれるようになっている。
【００１５】
一方、制御ケース１７は、シャッターケース２の底面板１２上に載置された状態でビス４２を介して固定されているが、該制御ケース１７は、上側および前側上半部が開口したケース本体１７ａと、該開口を覆蓋する蓋体１７ｂと、ケース本体１７ａ内を前後に仕切り、メンテナンス時に制御装置２０の手を振れさせたくない部位を遮蔽する遮蔽板１７ｃとにより構成されている。
ケース本体１７ａは、正面板１７ｄ、左右側面板１７ｅ、１７ｆ、背面板１７ｇ、底面板１７ｈにより構成されるが、正面板１７ｄは、左右側面板１７ｅ、１７ｆ、背面板１７ｇよりも高さが低い設定になっており、これら面板１７ｄ〜１７ｈによってケース本体１７ａは、上側および前側上半部が開口した箱形状に形成されている。さらに、ケース本体１７ａの正面板１７ｄには、蓋体１７ｂを固定するためのビス４３が左右に螺着されている。一方、蓋体１７ｂは、前記ケース本体１７ａの上側および前側の開口側を覆蓋するべく、上面板１７ｉと正面板１７ｊとで側面視逆Ｌ字形に形成されていると共に、上面板１７ｉの後端部からは、ケース本体１７ａの背面板１７ｇの上部に上側から外嵌する背面板１７ｎが形成されている。さらに、蓋体１７ｂの正面板１７ｊの下部には、ケース本体１７ａに螺着されたビス４３の螺子部４３ａの径より僅かに大きいが頭部４３ｂの径よりは小さい寸法に設定された逆Ｌ字形の溝孔（本実施の形態では溝孔上部が左方に折曲している。）１７ｋが形成され、該溝孔１７ｋの下端にはビス４３の頭部４３ｂの径より僅かに大きい取出し孔１７ｌが形成されている。そして、ケース本体１７ａの正面板１７ｄに螺着されたビス４３を緩めた状態で、ケース本体１７ａの上側から蓋体１７ｂを被せて、該蓋体１７ｂの正面板１７ｊに形成の取出し孔１７ｌにビス４３の頭部４３ｂを貫通させ、この状態で蓋体１７ｂを下動させることで、ビス４３の螺子部４３ａが溝孔１７ｋの上部に至り、さらに蓋体１７ｂを右方に移動させて溝孔１７ｋの左端を螺子部４３ａに至らしめると、蓋体１７ｂが螺子部４３ａに仮保持される状態となり、この仮保持状態でビス４３を螺入緊締することにより蓋体１７ｂがケース本体１７ａに固定されるようになっており、これとは逆の操作をすることにより蓋体１７ｂをケース本体１７ａから取外すことができるようになっている。
【００１６】
またケース本体１７ａの背面板１７ｇには、該背面板１７ｇと遮蔽板１７ｃとのあいだに位置する状態でスペーサ１９を介して制御装置（制御盤）２０が取付けられている。該制御装置２０には、開閉機４の開閉駆動をするのに必要な電気、電子部品が取付けられているが、図１３に示すブロック回路図のように配線されている。
つまり制御装置２０にはＣＰＵを備えて構成される制御部２１が設けられるが、該制御部２１は、各種設定をするための設定スイッチ２２、メンテナンス等の際にシャッターカーテン１を上昇させるための上昇スイッチ２３、同じく下降させるための下降スイッチ２４、異色発光する（例えば異常があった場合に赤発光し、前記設定状態である場合に橙発光をし、運転状態である場合に緑発光をする）三つのＬＥＤランプ２５、２６、２７、全開停止時間の設定をするためのロータリ式のスイッチ２８が設けられている。尚、必要において閉鎖速度、開放速度等の各種の設定ができるようにするため別途設定用のロータリ式のスイッチを設けることができる。
さらに制御装置２０には、制御部２１に接続されるモータドライブ回路２９、該モータドライブ回路２９と開閉機４とのあいだの回路に接続され、該回路に流れる電流値を検出し、該検出した電流値を制御部２１に出力する電流検出部３０、モータドライブ回路２９に接続される回生抵抗器３１、制御部２１に接続される電源回路３２、制御部２１に接続されていてシャッターカーテン１の開閉回数をカウントして表示するためのカウンター３３、制御装置２０への電源供給を断続するための電源スイッチ３４が接続されている。
因みに、ケース本体１７ａの正面板１７ｄおよび遮蔽板１７ｃの左右両端部は、左右両側面板１７ｅ、１７ｆに至らないように設定されていて、遮蔽板１７ｃの左右両端部と左右両側面板１７ｅ、１７ｆとのあいだには隙間が設けられており、これにより蓋体１７ｂを取外した状態で、制御基板２０に設けられた前記ＬＥＤランプ２５、２６、２７、ロータリ式スイッチ２８、設定スイッチ２２、上昇スイッチ２３、下降スイッチ２４等の電気、電子器具をメンテナンス時等において視認したり調整したりすることができるようになっている一方、メンテナンス時等において手を振れさせたくない高圧、高温部品等の部品を遮蔽板１７ｃによって遮蔽するようになっている。
【００１７】
さらに、３５は制御ケース１７の左側面板１７ｅから引き出され、電源スイッチ３４が接続される電源コードであって、先端のコンセント３５ａを家庭用電源（１００Ｖ）に接続することでモータドライブ回路２９および電源回路３２に電源供給をするように設定されている。尚、Ｅはアースラインである。
また、モータドライブ回路２９はモータ出力コネクタ線３６を介して開閉機４に接続されていて開閉機４の開閉駆動時に電源供給をし、制御部２１は、ブレーキ出力コネクタ線３７、ホールセンサコネクタ線３８、エンコーダーコネクタ線３９を介してそれぞれ開閉機４に接続されていて、開閉機４に対する制動制御、シャッターカーテン１の速度制御や上下限位置の位置決め制御、シャッターカーテン１の上下限位置検出をするように構成されているが、これらコネクタ線３６、３７、３８、３９は、制御装置２０にコネクタ接続されたものが、遮蔽板１７ｃの底面部１７ｍとケース本体底面板１７ｈとのあいだにスペーサ１９ａを介して形成される隙間Ｓを通って右方に引出され、そして右側面板１７ｆを貫通して制御ケース１７外に配線され、開閉機４に至るようになっている。
【００１８】
さらに制御部２１は、ガイドレール５に設けた起動センサ４０からの起動信号が入力するようになっており、そして制御部２１は、該起動信号の入力に基づいて開閉機４に対して開放駆動信号を出力し、これにより開閉機４は開放作動をしてシャッターカーテン１を巻き取ることになり、そしてシャッターカーテン１が全開になると制動信号を出力して開閉機４の駆動停止を、ロータリ式スイッチ２８で設定された時間だけ行い、その後、開閉機４に対し閉鎖駆動指令を出力し、これに基づいてシャッターカーテン１を繰り出して全閉姿勢にするように制御される。尚、前記起動センサ４０は、本実施の形態では赤外線センサを用いて構成されているが、一点押釦スイッチ、プルスイッチ等のスイッチ類を用いても実施することができる。
【００１９】
さらに制御部２１には、ガイドレール５に設けた光電センサを用いて構成される障害物検知センサ４１から障害物検知信号が入力するようになっており、障害物検知信号が入力した場合に、制御部２１は、シャッターカーテン１が全開姿勢であれば閉鎖駆動指令の出力を停止し、また、シャッターカーテン１が閉鎖作動中であれば開閉機４の駆動を停止する等の緊急作動をするよう制御される。
【００２０】
さらに制御部２１は、前記起動センサ４０から起動信号が入力され、開閉機４が駆動してシャッターカーテン１が巻上げられた場合に、カウンター３３に対してカウントアップ信号を出力するようになっている。そしてカウンター３３は、制御部２１からのカウントアップ信号が入力されるとカウント数をインクリメント（＋１）し、該インクリメントされたカウント数が表示部３３ａに表示されるようになっており、これにより、カウンター３３にシャッターカーテン１の開閉回数が表示されるようになっている。
【００２１】
また、前記カウンター３３および電源スイッチ３４は、遮蔽板１７ｃとケース本体正面板１７ｄとのあいだのケース本体底面板１７ｈに、左右に隣接する状態で取付けられているが、カウンター３３は、制御ケース１７の外部（底部側）から表示部３３ａが視認できる状態で底面板１７ｈに開設されたカウンター用孔１７ｏに組込まれ、また、電源スイッチ３４は、制御ケース１７の外部（底部側）からオンオフの切換え操作ができる状態で底面板１７ｈに開設されたスイッチ用孔１７ｐに組込まれている。この場合に、カウンター３３および電源スイッチ３４は、下部が底面板１７ｈよりも下方に突出する状態で取付けられているが、その突出量は、シャッターケース底面板１２の板厚を超えるように設定されている。
【００２２】
一方、シャッターケース２の底面板１２には、前記カウンター３３および電源スイッチ３４がちょうど嵌入する大きさのカウンター用切欠き孔部１２ａ、スイッチ用切欠き孔部１２ｂが形成されている。そして、制御ケース１７をシャッターケース底面板１２の制御ケース取付け位置に載置した場合に、カウンター３３、電源スイッチ３４は制御ケース底面板１７ｈから突出する部分がそれぞれカウンター用切欠き孔部１２ａ、スイッチ用切欠き孔部１２ｂに位置決め状に嵌合するようになっており、これにより、制御ケース１７を正規の取付け位置に容易に設置することができるようになっていると共に、カウンター３３、電源スイッチ３４がシャッターケース２の外部に露出することにより、カウンター３３は視認し易く、電源スイッチ３４は操作し易いようになっている。
【００２３】
叙述の如く構成された本形態において、開閉機４の駆動制御をするための制御装置２０は、制御ケース１７に内装された状態でシャッターケース２内に配設されているが、上記制御ケース１７の底面板１７ｈには、シャッターカーテン１の開閉回数を表示するカウンター３３が、制御ケース１７の外部から視認できる状態で組込まれていると共に、シャッターケース２の底面板１２には、上記カウンター３３をシャッターケース２の外部から視認するためのカウンター用切欠き孔部１２ａが形成されている。
【００２４】
この結果、メンテナンスの時期や内容を判断するための情報としてシャッターカーテン１の開閉回数を確認したい場合には、シャッターケース２の下から見上げるだけでカウンター３３を視認できることになって、カウンター３３を見るためにいちいちシャッターケース２を開けなければならないような手間を必要とせず、シャッターカーテン１の開閉回数の確認を容易に行なえることになる。しかも、カウンター３３は制御装置２０が内装される制御ケース１７の底面板１７ｈに組み込まれているから、カウンター３３と制御装置２０との電気配線ルートを可及的に短くできると共に、該カウンター３３と制御装置２０との電気配線は、制御装置２０やカウンター３３を制御ケース１７に組込む製造工程で行うことができるため、シャッター装置の取付け現場でカウンター３３と制御装置２０との電気配線を行なう必要がなく、よって、電気配線の簡略化に大きく貢献できる。
【００２５】
さらに前記カウンター３３は、制御ケース１７の底面板１７ｈから突出する状態で設けられていると共に、該カウンター３３は、シャッターケース２の底面板１２のカウンター用切欠き孔部１２ａに位置決め状に嵌合するように構成されている。而して、カウンター３３をカウンター用切欠き孔部１２ａに嵌め込むことで、制御ケース１７のシャッターケース２に対する取付け位置が決まり、制御ケース１７を正規の取付け位置に容易に設置できると共に、シャッターケース２の外部にカウンター３３が露出することになって、カウンター３３の視認がより容易になる。
【００２６】
そのうえ、前記制御ケース１７の底面板１７ｈには、制御装置２０への電源供給を断続する電源スイッチ３４が、制御ケース１７の外部から操作できる状態で組込まれていると共に、シャッターケース２の底面板１２には、前記電源スイッチ３４をシャッターケース２の外部から操作するためのスイッチ用切欠き孔部１２ｂが形成されている。これにより、電源スイッチ３４を切って戸締まりしたい場合やメンテナンス時等において電源スイッチ３４を断続したい場合に、シャッターケース２の外部から電源スイッチ３４を容易に操作できることになるが、該電源スイッチ３４は、制御装置２０が内装される制御ケース１７の底面板１７ｈに組み込まれているから、電源スイッチ３４と制御装置２０との電気配線ルートを可及的に短くできると共に、該電源スイッチ３４と制御装置２０との電気配線は、制御装置２０や電源スイッチ３４を制御ケース１７に組込む製造工程で行うことができるため、シャッター装置の取付け現場で電源スイッチ３４と制御装置２０との電気配線を行なう必要がなく、よって、前述したカウンター３３に加えて電源スイッチ３４の配線も大幅に簡略化できることになって、電気配線の更なる簡略化に大きく貢献できる。
【００２７】
しかも前記電源スイッチ３４は、制御ケース１７の底面板１７ｈから突出する状態で設けられていると共に、該電源スイッチは、シャッターケース２の底面板１２のスイッチ用切欠き孔部１２ｂに位置決め状に嵌合するように構成されている。而して、前記カウンター３３をカウンター用切欠き孔１２ａに嵌め込むことと併せて、電源スイッチ３４をスイッチ用切欠き孔部１２ｂに嵌め込むことで、より正確に制御ケース１７のシャッターケース２に対する取付け位置が決まり、制御ケース１７を正規の取付け位置に容易に設置できることになると共に、シャッターケース２の外部に電源スイッチ３４が露出することになって、電源スイッチ３４の操作がより容易になる。
【００２８】
また、このものにおいて、前記カウンター３３と電源スイッチ３４とは、制御ケース１７の底面板１２に隣接して設けられているから、メンテナンス時にカウンター３３の視認によるシャッターカーテン１の開閉回数の確認と電源スイッチ３４の操作とを続けて行なうような場合に効率良く行えることになって、メンテナンス性の向上に寄与できる。
【００２９】
尚、本発明は上記実施の形態に限定されないことは勿論であって、上記実施の形態において、カウンター、電源スイッチは制御ケースの底面板に組込まれていると共に、シャッターケースの底面板にカウンター用、電源スイッチ用の切欠き孔部が設けられているが、カウンター、電源スイッチを制御ケースの正面板に組込むと共に、シャッターケースの正面板に切欠き孔部を設けるように構成することもでき、この場合にも、上記実施の形態と同様の作用効果を奏する。また、上記実施の形態では、カウンター用の切欠き孔部と電源スイッチ用の切欠き孔部とは別々にシャッターケースに形成されているが、カウンター用の切欠き孔部と電源スイッチ用の切欠き孔部とを兼ねた一つの切欠き孔部をシャッターケースに形成する構成にしても良い。
さらに、上記実施の形態のカウンターは、シャッターカーテンの開閉回数をカウントするカウント手段と、該カウントされた開閉回数を表示する表示手段との両方を備えたものであるが、これに限定されることなく、制御装置に、シャッターカーテンの開閉回数をカウントするカウント手段を設ける一方、カウンターは開閉回数を表示する表示手段のみを有したものとして、制御装置からカウンターに対して開閉回数を表示する表示指令を出力するように構成したものであっても、本発明を実施できる。
またさらに、本発明は、シート材を用いたシャッター装置に限定されることなく、例えば複数のスラットを上下に連綴してシャッターカーテンを構成したシャッター装置や、パネルを用いたシャッター装置等にも実施できることは勿論である。
【産業上の利用可能性】
【００３０】
本発明は、建物の開口部に設けられる建築用電動シャッター装置に利用することができる。
【符号の説明】
【００３１】
１      シャッターカーテン
２      シャッターケース
３      巻取りドラム
４      開閉機
１２    シャッターケース底面板
１２ａ  カウンター用切欠き孔部
１２ｂ  スイッチ用切欠き孔部
１７    制御ケース
１７ｈ  制御ケース底面板
２０    制御装置
３３    カウンター
３４    電源スイッチ
【図１】
2014234593.tif 000003
【図２】
2014234593.tif 000004
【図３】
2014234593.tif 000005
【図４】
2014234593.tif 000006
【図５】
2014234593.tif 000007
【図６】
2014234593.tif 000008
【図７】
2014234593.tif 000009
【図８】
2014234593.tif 000010
【図９】
2014234593.tif 000011
【図１０】
2014234593.tif 000012
【図１１】
2014234593.tif 000013
【図１２】
2014234593.tif 000014
【図１３】
2014234593.tif 000015